【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
各々が識別可能な複数種類の第１識別情報の可変表示を行なって表示結果を導出表示する第１の可変表示部と、各々が識別可能な複数種類の第２識別情報の可変表示を行なって表示結果を導出表示する第２の可変表示部とを備え、前記第１の可変表示部の表示結果が予め定められた特定表示態様となったときに遊技状態が遊技者にとって通常状態よりも有利な特定遊技状態に移行し、所定の移行条件が成立したときに前記第１の可変表示部での前記特定表示態様の導出確率が向上した確率変動状態に移行する遊技機であって、
前記第１の可変表示部の表示結果を前記特定表示態様にするか否かを決定する特定表示態様決定手段と、
前記確率変動状態に移行させるか否かを決定する確率変動状態決定手段と、
該確率変動状態決定手段により前記確率変動状態に移行させることが決定されたときに、前記特定表示態様決定手段による前記特定表示態様にする旨の決定確率を向上させて前記確率変動状態に移行させる確率変動制御手段と、
前記第１の可変表示部と前記第２の可変表示部とを可変表示させた後、前記特定表示態様決定手段の決定結果と前記確率変動状態決定手段の決定結果とに従って、前記第１の可変表示部と前記第２の可変表示部との表示結果を導出表示させる可変表示制御手段とを備え、
前記第１の可変表示部は、遊技領域のほぼ中央に配設され、
前記第２の可変表示部は、前記第１の可変表示部とは別個に前記遊技領域に配設され、
前記可変表示制御手段は、
前記第１の可変表示部の表示結果の導出時期と前記第２の可変表示部の表示結果の導出時期とを同期させる制御を行ない、
前記第２の可変表示部にて、前記第１の可変表示部の表示結果が導出表示されたときに同期して導出表示する表示結果により前記確率変動状態に移行するか否かが認識可能な態様で表示結果を導出表示させる制御を行ない、
前記第１の可変表示部にて、導出表示する表示結果のみでは前記特定遊技状態に移行するか否かは認識可能であるが前記確率変動状態に移行するか否かは認識不可能な態様で表示結果を導出表示させる制御を行なうことを特徴とする、遊技機。
【手続補正２】
【補正対象書類名】明細書
【補正対象項目名】０００２
【補正方法】変更
【補正の内容】
【０００２】
この種の遊技機において、従来から一般的に知られているものに、たとえば、遊技者にとって有利な特定遊技状態に制御するか否かを示すための複数種類の当り外れ表示用図柄を可変表示可能な可変表示装置を有し、該可変表示装置における当り外れ表示用図柄の表示結果が予め定められた特定の表示態様（たとえば７７７）になった場合に、特定遊技状態（たとえば大当り状態）に制御可能なように構成されたものがあった。さらに、この種の遊技機においては、所定の条件が成立した場合に、確率変動状態に制御可能であった。
【手続補正３】
【補正対象書類名】明細書
【補正対象項目名】０００３
【補正方法】変更
【補正の内容】
【０００３】
この種の遊技機においては、特定遊技状態に制御するか否かに関する情報、および、確率変動状態に制御するか否かに関する情報よりなる遊技情報が遊技者に有利な状態になるか否かを遊技者が把握可能になる情報である。このため、従来の遊技機においては、これらの遊技情報を、可変表示装置において可変表示される当り外れ表示用図柄の表示結果を用いて遊技者にまとめて報知していた。
【手続補正４】
【補正対象書類名】明細書
【補正対象項目名】０００４
【補正方法】変更
【補正の内容】
【０００４】
しかし、このような従来の遊技機においては、１つの表示情報から遊技情報のそれぞれの意味内容を同時に認識する必要があるため、遊技者にとって遊技情報が把握しにくかった。特に、特定遊技状態への制御の可否と確率変動状態への制御の可否とについては、遊技者にとって性質が異なる利益であるが、これらの遊技情報が１つの表示情報によりまとめて示されるため、重要度が高い情報である確率変動状態への制御の可否についての情報が遊技者にとって把握しにくいという問題があった。さらに、１つの表示情報によりまとめて示されるため、遊技の演出表示の幅が著しく狭められ、面白みに欠けるものとなっている。
【手続補正５】
【補正対象書類名】明細書
【補正対象項目名】０００５
【補正方法】変更
【補正の内容】
【０００５】
本発明は、係る実情に鑑み考え出されたものであり、その目的は、特定遊技状態および確率変動状態に関連する遊技情報の表示を遊技者にとって把握しやすいものにすることが可能な遊技機を提供することである。
【手続補正６】
【補正対象書類名】明細書
【補正対象項目名】０００６
【補正方法】変更
【補正の内容】
【０００６】
請求項１に記載の本発明は、各々が識別可能な複数種類の第１識別情報の可変表示を行なって表示結果を導出表示する第１の可変表示部と、各々が識別可能な複数種類の第２識別情報の可変表示を行なって表示結果を導出表示する第２の可変表示部とを備え、前記第１の可変表示部の表示結果が予め定められた特定表示態様となったときに遊技状態が遊技者にとって通常状態よりも有利な特定遊技状態に移行し、所定の移行条件が成立したときに前記第１の可変表示部での前記特定表示態様の導出確率が向上した確率変動状態に移行する遊技機であって、
前記第１の可変表示部の表示結果を前記特定表示態様にするか否かを決定する特定表示態様決定手段と、
前記確率変動状態に移行させるか否かを決定する確率変動状態決定手段と、
該確率変動状態決定手段により前記確率変動状態に移行させることが決定されたときに、前記特定表示態様決定手段による前記特定表示態様にする旨の決定確率を向上させて前記確率変動状態に移行させる確率変動制御手段と、
前記第１の可変表示部と前記第２の可変表示部とを可変表示させた後、前記特定表示態様決定手段の決定結果と前記確率変動状態決定手段の決定結果とに従って、前記第１の可変表示部と前記第２の可変表示部との表示結果を導出表示させる可変表示制御手段とを備え、
前記第１の可変表示部は、遊技領域のほぼ中央に配設され、
前記第２の可変表示部は、前記第１の可変表示部とは別個に前記遊技領域に配設され、
前記可変表示制御手段は、
前記第１の可変表示部の表示結果の導出時期と前記第２の可変表示部の表示結果の導出時期とを同期させる制御を行ない、
前記第２の可変表示部にて、前記第１の可変表示部の表示結果が導出表示されたときに同期して導出表示する表示結果により前記確率変動状態に移行するか否かが認識可能な態様で表示結果を導出表示させる制御を行ない、
前記第１の可変表示部にて、導出表示する表示結果のみでは前記特定遊技状態に移行するか否かは認識可能であるが前記確率変動状態に移行するか否かは認識不可能な態様で表示結果を導出表示させる制御を行なうことを特徴とする。
【手続補正７】
【補正対象書類名】明細書
【補正対象項目名】０００７
【補正方法】変更
【補正の内容】
【０００７】
請求項１に関しては、特定遊技状態の発生に関連する遊技情報と、特別遊技状態の発生に関連する遊技情報とが別個に表示される。このため、遊技者が特定遊技状態の発生に関連する遊技情報と特別遊技状態の発生に関連する遊技情報とを個別に見て確認することができるので、これらの遊技情報を容易に区別して認識することができる。これにより、特定遊技状態および特別遊技状態に関連する遊技情報の表示を遊技者にとって把握しやすいものにすることができる。
【手続補正８】
【補正対象書類名】明細書
【補正対象項目名】０００８
【補正方法】削除
【補正の内容】